(57)【要約】【課題】夜間停電を伴うような悪条件の緊急災害時でも、一般人が容易に使用できる背負い搬送具を低コストで提供する。【解決手段】救助隊員が行うロープ救助の技術等を応用し、救助技術の知識のない一般人にも容易に扱える単純な構成で、ロープの代わりに布製の帯を用いた背負い具とする。専用の調節具を用いることにより、ロープ等を「胸の前で数回交差させる」動作を行わなくてもすむようにし、また、一本の長さが４ｍ前後となる帯を、ループ形状に保持した帯の中央部分と、帯の両末端部分とに分けて保持して、背負い具上下の識別が容易で、かつ、ループ長を調整可能なものとする。帯の特定の要所には、着色するとともに発光機能・光反射機能を有せしめて、暗闇の中でもその要所を視認し得るようにし、停電を伴う夜間災害時にも容易に背負い搬送が実施できるようにするとともに、他の救助隊員等からの視認性を高めて災害現場の混乱防止をも図る。【選択図】図７
0003119323.tif 000002
【実用新案登録請求の範囲】
【請求項１】
一本のロープ又は帯を用いた背負い搬送に用いる器具において、その環の内部をロープ又は帯が貫通して巻きつき各別に摺動することが可能な左右二箇所の周縁部を有する環状体が二つ以上連なった形状であって、前記環状体の隣接する二つがそれぞれ前記周縁部と異なる上側又は下側の周縁部を共通の周縁部として上下に連なった形状の、調節具。
【請求項２】
一本のロープ又は帯を用いた背負い搬送に用いる器具において、略円形の断面形状を持つ２本の平行な柱状体と、それら柱状体の上部、中間部及び下部を連結する連結体とからなる、調節具。
【請求項３】
外表面に発光機能を有する、請求項１又は請求項２記載の調節具。
【請求項４】
中央の有限長部分に、又は、中央の有限長部分に加えて使用時にその位置を確認して使用する部位に、発光機能を発揮する発光体を備えた背負い帯。
【請求項５】
中央の有限長部分に光反射機能を発揮する光反射体を備えた背負い帯。
【請求項６】
中央の有限長部分に、又は、中央の有限長部分に加えて中央から両端部方向に任意の間隔ごとに、色彩を付してなる背負い帯。
【請求項７】
中央の有限長部分に、又は、中央の有限長部分に加えて使用時にその位置を確認して使用する部位に発光機能を発揮する発光体を備え、中央から両端部方向に任意の間隔ごとに色彩を付してなる、背負い帯。
【請求項８】
中央の有限長部分に、又は、中央の有限長部分に加えて使用時にその位置を確認して使用する部位に発光機能を発揮する発光体を備え、中央の有限長部分に光反射機能を発揮する光反射体を備え、中央から両端部方向に任意の間隔ごとに色彩を付してなる、背負い帯。
【請求項９】
請求項１から請求項３のいずれかの請求項記載の調節具と、請求項４から請求項８のいずれかの請求項記載の背負い帯とを、組み合わせてなる背負い具。
【請求項１０】
請求項１から請求項３のいずれかの請求項記載の調節具と、帯とを、組み合わせてなる背負い具。
【請求項１１】
使用時に被搬送者の背部に接する部材、連結して装着する連結部材、その他の使用時に視認によってその位置を確認して使用する部位の部材に、又は、視認により背負い具の形状の識別が可能となる箇所の部材に、発光機能を発揮する発光体を備えた背負い搬送具。
【請求項１２】
使用時に被搬送者の背部に接する部材その他の使用時に外部から視認可能な部位の部材に光反射機能を発揮する光反射体を備えた背負い搬送具。
【考案の詳細な説明】
【技術分野】
【０００１】
本考案は、主として災害時や緊急避難時に負傷者、病人、高齢者などを背負い搬送するための背負い具に関する。
【背景技術】
【０００２】
従来、災害現場において、動けない負傷者、病人、高齢者など（以下、「傷病者等」という。）を搬送する必要がある場合には、救助隊員であれば専用の搬送具やロープ技術を使用した搬送が可能であるが、一般人はそうした搬送具やロープ技術を使用できず、背負って搬送するしかなかった。
【０００３】
背負い搬送のための入手容易な搬送具としては、複数のベルトを縫製して形成した搬送具や、ベルト以外に傷病者等の背部から臀部、脚部にかけて要所を支持するための支持部を有する搬送具などがある。これらの多くは、その端部に連結部材を設けたベルトを搬送者の胸部・腹部の前面で連結して使用するものである。
【０００４】
しかし、それら背負い搬送具のうち、傷病者等の後背部から腰部・臀部にかけて広い支持部を有するものは、自力で体を動かせない傷病者等に装着するのに時間と労力を必要とする。
また、複数の連結箇所があるものや、特にベルトがループ状に形成されている箇所があるものは、ベルトが絡み易い。
また、構造を熟知していないと、上下左右裏表の区別がつきにくいものも多く、間違った装着法では装着することもできない。
さらに、夜間に停電を伴う災害が発生した場合には暗闇の中での搬出作業となるため、上記欠点により、ほとんどの背負い搬送具は使用不可能となる。特に、緊急を要する場合には、致命的となり得る。
【０００５】
暗闇の中でも使用できそうな単純な用具を用いた背負い方法に、救助隊員が行うロープ救助の技術があり、また、いわゆる兵児帯を用いた乳幼児の背負い方法がある。
しかし、病院において、夜間停電を伴う災害時を想定して非常用発電設備も停止させて災害避難訓練を行ったところ、ただ一本のロープや帯（以下、「ロープ等」という。）を使用するこれらの背負い方法を用いたような場合であっても、照明がないことに加えて、暗闇の中で精神的に混乱した状態では、背負う際のロープ等の扱いに戸惑うものであることが判明している。
すなわち、ロープ等を使用した場合には、傷病者等の背中にあてたロープ等を、傷病者等の両脇下から搬送者の肩の上を通して前に出し、このロープ等を搬送者の胸の前で数回交差させるものであるが、暗闇の中では、この「胸の前で数回交差させる」だけの動作であっても、その手順に戸惑い、手間取るものである。
【特許文献１】特開２０００−１５７５７１号公報
【特許文献２】登録実用新案第３１０８８２１号公報
【特許文献３】登録実用新案第３０８０４６１号公報
【特許文献４】実開昭６３−１６６０６５号公報
【特許文献５】特開平７−１２１１３０号公報
【特許文献６】US Patent ５１０１７６８号公報
【特許文献７】US Patent ５１４５０３６号公報
【考案の開示】
【考案が解決しようとする課題】
【０００６】
大震災等の広域災害においては救助隊員が全ての救助現場に迅速に対応することは不可能であり、一般人も人命救助にあたらざるを得ない。
そこで、解決しようとする問題点の第１は、一般人がロープ等を用いた背負い搬送方法を容易に実施できる背負い搬送用具を、安価に提供することである。
【０００７】
解決しようとする問題点の第２は、一般人がロープ等を用いた背負い搬送方法を実施する際に障害となる、ロープ等を「胸の前で数回交差させる」動作を行わなくてもすむようにすることである。
【０００８】
解決しようとする問題点の第３は、停電を伴う夜間の災害が発生した場合に、照明のない暗闇の中であっても、一般人がロープ等を用いた背負い搬送方法を実施容易にすることであり、また、他の搬送者、避難者又は救助隊員（以下、「救助隊員等」という。）からの視認性を高めることで、災害現場の混乱を防ぐと共に、避難誘導や救助活動の円滑・迅速を図ることである。
【課題を解決するための手段】
【０００９】
本考案の主要な特徴の第１は、専用の調節具を用いることにより、ロープ等を用いた背負い搬送方法における、ロープ等を「胸の前で数回交差させる」動作を行わなくてもすむようにしたことである。
【００１０】
本考案の主要な特徴の第２は、一本の長さが4m前後となるロープ等を、輪の形にしたロープ等の中央部分（以下、「ループ部分」という。）と、ロープ等の両端部分とを、専用の調節具を用いることにより識別可能に保持し得ることである。
【００１１】
本考案の主要な特徴の第３は、搬送の際に使用されるロープ等の特定の要所に着色するとともに発光機能・光反射機能を有せしめて、暗闇の中でもその要所を視認し得るロープ等を用いて背負い搬送の実施を容易にするとともに、他の救助隊員等からの視認性を高めたことである。
【００１２】
本考案の主要な特徴の第４は、救助隊員が行うロープ救助の技術の応用に際しても、ロープの代わりに、布の帯又は布を縫製して形成した帯形状の帯状体（以下、「背負い帯」という。）を用いることである。
【考案の効果】
【００１３】
本考案にかかる調節具及び背負い帯は、構成が単純であるので、製造容易で、かつ、安価に製造できる。
【００１４】
本考案にかかる調節具を備えた背負い具は、次に述べる効果を有する。
【００１５】
第１に、構成単純で左右裏表の区別がないので、従来品のように上下左右裏表の判別が困難になることがない。特に、夜間停電下でも、手探りで背負い具の上下を判別可能であり、左右裏表の区別なく使用可能である。
【００１６】
第２に、連結箇所は、帯を結んで連結する一箇所のみなので、連結箇所・連結器具の判別に混乱を生じることなく、夜間停電下においても手探りで装着可能である。
【００１７】
第３に、装着時に帯・ベルト等が絡み易い従来の背負い搬送具に比べて構成が単純なので、帯が形成するループは一つのみ、帯の末端は二箇所のみ、装着時の帯末端の連結は一回・一箇所のみとなり、帯が絡みにくいものである。
【００１８】
第４に、構成単純かつ装着容易なので、従来品のように搬送具の構造・操作法を熟知しなくても使用できる。また、使用法の習得にも時間がかからない。
【００１９】
第５に、装着後は、搬送者は両手が自由となるので、夜間停電下でも手探りでドアの開閉や階段の昇降が可能である。
【００２０】
第６に、傷病者等の後背部から腰部・臀部にかけて装着する支持部又は保持部がないので、自力で体を動かせない傷病者等に装着するのに時間と労力を必要としないため、緊急時に有効である。特に、夜間停電下でも、手探りで背負い具の装着が可能である。
【００２１】
第７に、ロープ救助の技術や、いわゆる兵児帯を用いた背負い方法に比べて、装着時間の短縮が可能である。これは、特に緊急時に有効である。
【００２２】
本考案にかかる背負い帯、又は、本考案にかかる背負い帯を備えた背負い具は、次に述べる効果を有する。
【００２３】
第１に、布製の帯状体を採用することで、ロープ救助の技術をそのまま使用する場合に比べ、傷病者等の疼痛を和らげるものである。また、搬送具素材にベルトを用いた場合の、ベルトの捩れによる装着の不具合を生じない。
【００２４】
第２に、中央部を着色することにより、4m前後の長さとなる背負い帯中央の識別が容易となる。また、中央から両端部方向に任意の特定間隔ごとに色彩を付すことにより、搬送者は、手元で背負い帯の中央部が傷病者等の背中にあるか否か、背負い帯の左右両端の長さが均等か否か、を確認できる。
【００２５】
第３に、背負い帯中央部分の発光機能により、夜間停電下でも背負い帯中央の識別が容易となる。
【００２６】
第４に、背負い帯中央部分の光反射機能により、夜間停電下でも、他の救助隊員等の使用する懐中電灯やヘッドランプその他の照明器具の光を反射し、搬送者及び傷病者等の視認性を高め、災害現場の混乱を防ぐとともに、避難誘導や救助活動の円滑・迅速を図ることができる。
【００２７】
本考案にかかる背負い帯又は本考案にかかる背負い具は、次に述べる効果を有する。
【００２８】
第１に、軽量なので、持ち運び容易である。
背負い具にあっては、傷病者のいる場所へと移動する際に、背負い帯ループ部分を首に掛け、背負い帯両末端部を搬送者の胴体に巻きつけることによって、持ち運び容易である。
【００２９】
第２に、背負い帯はそのままで、背負い具にあっては調節具を外すことにより、その背負い帯を、ロープ、止血帯、三角巾等の代用として使用可能である。
【００３０】
本考案にかかる調節具は、子守用背負い帯にも適用可能である。
【考案を実施するための最良の形態】
【００３１】
以下、本考案の実施の形態を、図を参照しつつ説明する。
【００３２】
まず、本考案調節具について説明する。図１は、本考案調節具の実施形態を示す正面図である。
【００３３】
本考案にかかる調節具の最良の実施形態は、略円形の断面形状を持つ２本の平行な柱状体１a、１bと、それら柱状体の上部、中間部及び下部を連結する連結体１c、１d、１eとからなるものである。すなわち、中間部連結体１dによって二分された上部四角環と下部四角環とが、中間部連結体１dを共通の周縁部として、どちらもほぼ同一面積・同一形状の上部孔１１と下部孔１２を形成するものである。
ただし、かかる形状以外であっても、上部四角環と下部四角環の二つの環状体に代えて、四角形環以外の、例えば、円、楕円等の任意の閉曲線形環たる環状体を上下に二つ連ねた形状の調節具とすることも可能であり、そしてまた、任意の閉曲線形環たる環状体を上下に三つ以上連ねた形状の調節具とすることも可能である。なお、かかる環状体の断面形状についても、略円形に限定されるものではない。
【００３４】
組み合わせて使用する背負い帯の幅、厚さに応じて適宜、形状・寸法を選択して設計可能である。形状・寸法例については、実施例に詳述する。
【００３５】
柱状体及び連結体を分割不能に一体に形成してもよく、別々に形成した後にネジその他の締結機構にて分割可能に組み立ててなるものでもよい。
金属等の塑性加工容易な素材を用いる場合には、１本の柱状体を曲げることによっても上端又は下端の連結体部分を形成可能であって、製造容易である。
金属で形成することが製造容易であるが、上記形状に加工可能で、使用に耐える強度、耐食性、耐摩耗性を有するものであれば、プラスチック等の有機素材、セラミックス等の無機素材、その他の非金属素材を用いて形成したものでもよい。
【００３６】
特に、調節具の外表面が発光機能を有するものである場合には、照明のない暗闇の中でも視認による取り扱いが容易となる。
調節具の外表面に発光機能を付加するには、例えば、蓄光性のセラミックスで外表面を形成する、蓄光性材を塗布する、などの方法が考えられる。
【００３７】
次に、本考案調節具１と背負い帯２の組み合わせについて説明する。
【００３８】
図２は背負い帯２と調節具１を組み合わせてなる背負い具３の概略正面図、図３は調節具１と背負い帯２の組み合わせ方の説明図、図４は図３の調節具１近辺の拡大説明図、図６〜図８は背負い具３を装着して傷病者等を背負った搬送者の概略図である。
【００３９】
以下、調節具１の上下、裏表を図３及び図４の上下のとおりに、また、図に表れる面を表と定めて説明する。搬送者の身体との関係では図６〜図８のとおりであって、図１〜図４における柱状体１a及び背負い帯末端２aを搬送者から見て右側（右手側）、柱状体１b及び背負い帯末端２bを搬送者から見て左側（左手側）として示している。
【００４０】
図２〜図４に示すように、調節具の上下孔１１、１２に背負い帯２を通して、調節具１の上部孔１１より上側に背負い帯中央部２cを含むループ部分を形成し、調節具の下部孔１２より下側に背負い帯２の両端部分２a、２bを形成する。
具体的には、例えば、背負い帯の両末端２a、２bを上部孔１１表側から裏側へ通し（３Ａ）、背負い帯の左右両端２a、２bをそれぞれ左右の柱状体１a、１bの外側面に螺旋状に巻き付けて調節具表側に出した後（３Ｂ）、背負い帯両末端を下部孔１２表側から裏側へ通す（３Ｃ）。つまり、帯状体２は、調節具１内で、１回半以上２回未満の巻きつき回数で、柱状体１a、１bに巻きついている。
背負い具３の使用時には、調節具１内で背負い帯２を摺動移動させ、すなわち背負い帯２に対して調節具１の位置を移動させて、ループ部分のループ長を調節する。
なお、上記の説明において、表を裏、裏を表と置き換えて調節具１と背負い帯２を組み合わせても支障はない。すなわち、本考案にかかる調節具１、さらには、背負い具３は、左右裏表の区別なく使用可能である。
【００４１】
調節具上下孔１１、１２を通り抜け、柱状体１a、１bに巻きついている左右の背負い帯２の中間部は、単に調節具柱状体１a、１bに１回半又はそれ以上の回数分だけ巻きついているだけのものであるが、柱状体１a、１bとの間に強い摩擦力が生じる場合には自由に摺動しない。
背負い帯に張力が加わった場合、柱状体１a、１bに螺旋状に巻きついている部分では、その張力は柱状体１a、１bの外表面において、外表面に接する方向で、かつ、柱状体軸と垂直方向の成分を生じるため、柱状体軸の垂直面内における力のつりあいより、張力に応じた接触面圧力及び摩擦力が生じる。この摩擦力は、調節具１内と背負い帯２と間の摺動に関しては制動力となり、背負い帯２の摺動移動は制限される。
調節具１と背負い帯２に人の手で外力を加えることにより、柱状体１a、１bに巻きつけたまま背負い帯２を摺動させ、調節具１と背負い帯２の相対位置を調節しうる。
【００４２】
搬送者は、自分の胸の前に調節具１を位置させ、調節具１と背負い帯２の相対位置を調節することによって、調節具１よりも上部に形成されている、背負い帯２のループ部分のループ長を自在に調節可能である。
すなわち、一方の手で調節具１を保持し、他方の手で調節具１より下に連なる背負い帯２を引き下げることにより、ループ部分の長さを調節し、次いで又は同時に、背負い帯２に適度な張力を与えつつ、胸の前の適当な箇所に調節具１を位置させることが可能となる。
【００４３】
これは、調節具１内部を通って調節具１の下側へ連なる背負い帯中間部分の左右両方又は片方を調節具１の下側へ引き下げることにより、調節具１より下側では引き下げられた背負い帯の連なる方向が変化し、そこに加わる張力方向と柱状体軸方向との相対的な角度が小さくなり、また、巻きつき回数も幾分減少し、多少ではあるが調節具１の摩擦制動力は減少する。
【００４４】
これに対し、単に傷病者等を背負っているだけの場合には、調節具１より上側又は下側へ連なる背負い帯は、いずれも柱状体軸と概ね３０度から６０度ほどの角度となり、傷病者等の体重による全張力が負荷されるので、調節具１位置を保持するのに十分な摩擦制動力を発揮する。
【００４５】
搬送具３を既に装着した後に調節具１を使用する場合は、搬送者は幾分前かがみになって自分の背中で傷病者等の体重を支えるようにしたり、傷病者等の体重の一部をベッドや椅子で支えるようにしたりすれば、傷病者等の体重が背負い帯２のみで支えられることがなくなり、背負い帯２の張力は緩和され、摩擦力も減少し、調節具１による調節も容易になる。
【００４６】
上記の一連の調節動作は、背負い帯を「胸の前で数回交差させる」動作に相当する。ロープ救助の技術の実施及びいわゆる兵児帯を用いた乳幼児のおんぶにおいては、両手で握ったロープ等の左右両方を「胸の前で数回交差させる」動作の途中において必ずいずれか片方の手をロープ等から離さなければならず、もう片方の手でロープ両端を押さえておかなければならないが、不慣れな者がこの動作を行う場合には、ロープ等両端を絡ませたり、片端を手放してしまったりしがちである。
本考案の調節具１を使用することにより、背負い帯の左右両端を絡ませることや手離してしまうことなく、不慣れな者でもかかる調節動作を短時間で容易に行うことができる。
【００４７】
請求項２記載の調節具１は、上下端の連結体と左右の柱状体１a、１bで形成される略四角環のほぼ中央部に中間部連結体１dを有した形状である点が特徴であり、特に帯状体に適した形状である。
中間部連結体１dを設けたことで、調整具１内を摺動する背負い帯２の摺動経路が安定する。
また、調整具１内で背負い帯２が上端又は下端に偏った場合に、片端における背負い帯同士又は左右両端部の背負い帯同士の摩擦が生じ又は増加することによって、必要以上の摩擦力が発生して背負い帯２が摺動不能となるのを防止する。
【００４８】
調節具１は摩擦制動を利用した器具という点で、救助作業、高所作業、登攀等に使用される下降器等の摩擦制動器具に類似する器具であるが、以下の点に特徴の相違がある。
背負い帯２の左右端はそれぞれ２本ある柱状体１a、１bの一本に螺旋状に巻きつかせるもので、一本の柱状体にまき付く背負い帯の一端は、まき付く途中でその巻きつき方向を変えないことが、懸垂下降におけるいわゆるエイト環と相違している。また、背負い帯２の左右端を別々に柱状体１a、１bに巻きつかせる点で、単一のカラビナを使用する懸垂下降法とも相違する。
また、螺旋状に巻きつかせる点がUS Patent ５１４５０３６号文献等の懸垂下降用制動器と相違している。
【００４９】
本考案調節具にあっては、背負い帯２との間に摺動摩擦を生じさせる制動体たる柱状体の軸と、概ね一定半径、一定ピッチの螺旋で近似可能な調節具１内での摺動物移動経路の軸方向とが、ほぼ同一軸として観念される点が特徴であり、このことにより、これらの点で搬送者の操作による摺動調節が容易となっている。
また、制動体たる柱状体１a、１bが搬送者の両肩から胸前をとおる背負い帯２の左右両中間部ごとに１体ずつあり、すなわち、器具内を摺動する摺動物の摺動移動路が２つあることも特徴である。背負い帯２の両端を一つの調節具１で別々に調整することも可能である点は、吊上げ、吊下げ又は懸垂下降その他落下制御・防止に使用される摩擦制動器具と相違しており、このことにより、調節具1を使用した背負い帯２の左右別々の調節が可能となる。
【００５０】
なお、背負い帯２の摺動に関し、背負い帯２と調節具１の間に摩擦制動力が生じるものの、この制動力が小さすぎる場合には背負い帯２の一箇所のみを把持して持ち上げた場合には、調節具１のみ摺動して落下するおそれもある。
そのため、調節具１の形状・寸法は、背負い帯２の一箇所のみを把持した場合でも調節具１の落下がなく、使用に際しても調節具１の位置を保持し得るだけの十分な摩擦力を生じさせるものであって、かつ、搬送者にとって調節具１が摺動自在に保持可能な程度の摩擦力を生じさせるものであることが必要である。
また、落下防止に加えて、持ち運びの容易性をも考慮すれば、調節具１の重量はできるだけ軽いものであることが望ましい。
【００５１】
次に、本考案調節具１と背負い帯２とを組み合わせてなる背負い具３の装着・使用法について説明する。
図６〜図８は、本考案にかかる背負い具３の使用状態を示す概略図である。
【００５２】
背負い具３の装着は、まず、横になっている傷病者等又は上体を起こしている傷病者等の頭部及び肩部を背負い帯ループ部分にくぐらせる。次いで、背負い帯２の中央２cを傷病者等の肩部背面にあて（５Ａ）、傷病者等の両脇下から背負い帯２を引き出す。そして、搬送者も背負い帯ループ部分に頭部をくぐらせ、両肩の上から背負い帯を前面に出す（５Ｂ）。
ここで、調節具１によって、背負い帯ループ部分のループ長を調節する。
その後、背負い帯の左右両端部２a、２bのそれぞれを傷病者等の左右両脚の下を通した後に搬送者の前面に出す（５Ｃ〜５Ｄ〜５Ｅ）。
そして、背負い帯の左右両端部２a、２bのそれぞれを、調節具１から傷病者等の脚部外側へと連なる背負い帯２の５Ｃから５Ｄの区間で内側から外側にとおし、前面に出す（５Ｆ）。
最後に、背負い帯両端部を搬送者の前面で結ぶことにより連結する（５Ｇ）。
【００５３】
乳幼児のように傷病者等の体格が小さい、又は、脚部欠損等の理由で、上述の装着方法が適用できない場合の装着法の例を図９に示す。
まず、背負い帯の左右両端部のそれぞれを傷病者等の左右両脚の下を通すのではなく、背負い帯の片方の一端で背負った乳幼児の左右両方の脚部及び臀部を包み込むように巻きつけて前面に出す。次いで、背負い帯のもう片方の一端でも同様に、ただし、逆回り方向に、既に巻かれている背負い帯と一部重なるように、乳幼児の左右両方の脚部及び臀部に巻きつけて前面に出す（５Ｈ）。最後は上述同様に、背負い帯両端部を搬送者の前面で結ぶことにより連結する（５Ｇ）。
【００５４】
なお、調節具１に背負い帯２を組み合わせた状態で特定場所に設けた専用のハンガーに掛けておくことにより、災害時に直ちに使用可能となる。
【００５５】
次に、本考案背負い帯について説明する。
図５に本考案にかかる背負い帯を示す。図中、２１は平面図、２２は底面図であり、天地を左右に置き換えて示している。
【００５６】
第１に、背負い帯の中央部２cに発光機能を発揮する発光部４２を設ける。
【００５７】
発光部４２の形成には蓄光性素材よりなる繊維を用いた布を縫着するのが簡易である。
また、発光機能を発揮する物理的・化学的機構を有する発光部を背負い帯中央に付着することも可能である。例えば、いわゆる安全チョッキ等に見られるように、LED、EL等の発光体を電池により発光させるようにすることも可能である。
【００５８】
背負い帯の中央部２cが発光機能を発揮することで、暗闇の中でも背負い具の上下確認が容易になり、また、背負い帯の中央部２cを視認可能となるため、背負い具３を傷病者等に装着する際の「傷病者等の背中に背負い帯中央部をあてる」こと（５Ａ）が可能となる。
帯の中央部以外の要所にも発光部を設けると使用の際に便利である。例えば、本考案の背負い帯を使用する際に調節具１の位置の目安になる箇所や、背負い帯の両端部などが考えられる。
【００５９】
なお、従来の背負い搬送具においても、傷病者等の背部に接する部材であって、外部から識別可能な部位に発光物を付すことにより、同様の効果を得られる。また、1箇所又は複数箇所の連結部がある場合の連結器具の部位に発光機能を備えることで、暗中での装着が容易になる。さらに、複雑な形状の背負い具においては、形状の識別が可能な要所に発光機能を付加すれば、暗闇の中でも上下左右裏表の区別が可能となる。
【００６０】
第２に、背負い帯の中央部２cに光反射機能を発揮する反射部４１を設ける。
【００６１】
反射部の形成には任意の形状に切抜き整形した布状の光反射材を縫着するのが簡易である。光反射材としては、例えば、再帰性反射材が周知である。なお、布状でない反射材を背負い帯に付着することも可能である。
【００６２】
背負い帯中央部２cは傷病者等の背中５Ａに位置するので、その背負い帯中央部２c、５Ａが光反射機能を発揮することで、停電を伴う夜間の災害が発生した場合に他の救助隊員等の使用する懐中電灯やヘッドランプその他の照明器具の光を反射し、前記の発光機能とあいまって搬送者及び傷病者等の視認性を高めることで、災害現場の混乱を防ぐと共に、避難誘導や救助活動の円滑・迅速を図ることができる。
また、明るい場所では背負い帯の中央部２cを視認可能なので、背負い具３を傷病者等に装着する際の「傷病者等の背中に背負い帯中央部をあてる」こと（５Ａ）が容易となる。
【００６３】
なお、従来の背負い搬送具においても、傷病者等の背部に接する部材であって外部から識別可能な部位に光反射物を付すことにより同様の効果を得られるほか、明るい場所では上下左右裏表の区別を可能とすることもできる。
【００６４】
第３に、背負い帯には中央から両端部方向に、任意の特定間隔ごとに、色彩を付す（４３a〜４３e）。
【００６５】
例えば、中心から同距離にある背負い帯の一定長さの部分に同一の色彩を付すことにより、背負い帯中心部２cから調節具１に至るまでの左右の長さが同じであるか否か、背負い帯の中心部が傷病者等の背中５Ａに保持されているか否かを、調節具を使用せず背負い帯のみで背負い搬送する場合には胸の前で数回交差させてある背負い帯の色で、調節具を使用する場合には調節具１の位置に保持されている背負い帯の色で、判断可能になる。
また、着色により背負い帯の中央部２cを確認可能にすれば、明るい場所では中央部２cを視認可能であるから、背負い具３を傷病者等に装着する際の「傷病者等の背中に背負い帯中央部をあてる」こと（５Ａ）も容易となる。
なお、二つ以上ある同種のものを判別可能にするために異なる色とするのは一般に行われることであるが、背負い帯中心から左右同距離の箇所に別の色彩を付すと、左右の判別も可能となる。
また、調節具１の取り付け位置の目安となる部分に着色部４４を設け、予めその位置に調節具１を取り付けて設置しておけば、緊急時に直ちに使用可能となるほか、装着時の背負い具３の調節に便利である。
【実施例１】
【００６６】
図１は、本考案調節具１の一実施例である。
【００６７】
本実施例は折りたたみ縫製した木綿布３層からなり、幅150mmの背負い帯を使用する場合を想定した形状の金属製の調節具を示したものである。
【００６８】
直径7mmの円柱体形状の金属製丸棒２本を柱状体１a、１bとし、同様な金属製丸棒によって上端部、中央部及び下端部の連結体（１c〜１e）を構成したものである。柱状体１a、１bの間隔を25mm、各連結体の間隔を100mmとしている。
【００６９】
ただし、素材、寸法又は形状を限定する趣旨ではない。使用する布地の厚さ、柔軟性、表面摩擦係数その他の条件により異なる寸法値を選択可能である。
また、素材の比重、強度その他の通常の設計において考慮されるべき諸条件によっても上記寸法値は変更されるべきものである。
【００７０】
図においては、孔１１、１２の上下方向と横方向の寸法比は概ね４対１の四角形となっており、使用を想定した帯に特に適していると考えるものであるが、異なる孔形状を採用することも可能である。また、上部孔１１と下部孔１２の孔形状がほぼ同一のものとしているが、異なる孔形状の採用を排除する趣旨ではない。
例えば、アルファベットの「Ｏ」字形の中央部に連結体を設けた形状や、２つの環が同一大であって、本考案の柱状体１a、１b中央がくびれたものに相当する数字の「８」の字形状なども考えられ、そうした場合には帯のみならずロープを使用した背負い搬送に適した形状とすることも可能である。
さらに、三つ以上の環が連なり一体となった形状とすることも可能である。
【実施例２】
【００７１】
実施例１に記載した調節具１と背負い帯２の組み合わせからなる背負い具の一実施例を図２に示す。
【００７２】
図示の状態で、例えば病院内の特定場所に設けた専用のハンガーに掛けておくことにより、災害時に、搬出担当者にとって、背負い具を直ちに持ち運び、かつ、容易に使用することが可能となる。
【実施例３】
【００７３】
実施例１に記載した調節具１と背負い帯２の組み合わせからなる背負い具３を装着・使用する場合の、背負い具と、搬出者及び傷病者等との、相対的な位置関係を図６〜図８に示す。
【００７４】
背負い帯と、搬出者及び傷病者等との相対的な位置関係は、救助隊員によるロープを用いた背負い搬送の場合とほぼ同様である。
ロープの代わりに背負い帯を用いることで、傷病者等の疼痛その他の身体的負担を軽減することができる。
逆に、傷病者等の疼痛等を配慮しなければ、寸法・形状その他の設計変更により、本願調節具はロープにも適用可能である。
【実施例４】
【００７５】
折りたたみ縫製した木綿布３層からなる長さ4m、幅150mmの、本考案にかかる背負い帯２の一実施例を図５に示す。
背負い帯２は、ロープ救助方法のロープと同様の使用法により単独で使用することもでき、また、調節具１と組み合わせて背負い具３として使用することもできる。
【００７６】
発光機能を発揮する素材として蓄光性素材の繊維よりなる布を、背負い帯中央部に縫着して発光部４２としたものである。図には、長さ約30cmで、背負い帯の幅と同等の幅に整形した蓄光性繊維よりなる布を縫着した例を示す。
また、４４は、後述の着色部位であるが、この部分にも発光体を付すと、暗闇の中で調節具１を備えた背負い具３を装着する時の調節具１位置の目安ともなる。
【００７７】
布状の光反射材を任意の形状に切抜き整形した反射材を縫着して反射部４１としたものである。図には、「ＳＯＳ」の文字形状に整形した光反射材を上記発光部表面に縫着した例を示す。前記発光部４２の上側に光反射材を縫着した場合を示している。
【００７８】
４３a〜４３eは、中央部及びその両側に、それぞれ任意長の部分を任意の間隔ごとに任意の色彩での着色を示したものである。
図には、中央部及びその両側に、それぞれ約50cmごとに着色した例を示す。
また、４４は、調節具取り付け位置の目安となる着色部を設けた場合の着色部位置を示す。帯の裏表の両面、すなわち、平面図及び底面図に表れる両面に、同様に色彩を付した例である。
【００７９】
本実施例では、仮に、背負い帯の材質を入手容易な木綿としたが、絹その他の天然素材繊維を用いた布又はナイロンその他の合成繊維を用いた布をもって背負い帯の素材とすることができる。
【００８０】
本実施例では、背負い帯の長さを4mとしたが、背負い搬送される傷病者等及び搬送者が標準的な日本国人の成人の体格である場合を想定したものである。搬送者及び被搬送者の体格により、背負い帯の長さは、異なり得るが、一般的には、背負い帯の長さは3.5m〜4.5mの範囲に求められると考える。ただし、例えば、乳幼児等を搬送する場合には3.5m程度で足りる場合もあろうが、搬送者及び被搬送者が特別に大柄な体格である場合には4.5m程度又はそれ以上の長さが必要になることも考えられる。
【００８１】
また、本実施例では、折りたたみ縫製３層からなる幅150mmの背負い帯としているが、例えば、一般的に販売されているいわゆる兵児帯のように幅20cm〜70cmの一枚布状の帯を背負い帯として用いることも可能であり、また、同様性状の布地を２層以上単に重ねて又は折りたたみ縫製して幅10cm〜35cm程度の背負い帯とすることも考えられる。
【００８２】
また、本実施例では、発光部及び反射部は、平面図のみに表してある。傷病者等の背面に装着され、外部から視認可能な部分として想定したためであるが、底面図に表れる部分、すなわち、背負い帯の裏面に発光部・反射部を設けてもよい。
【実施例５】
【００８３】
実施例１に記載した調節具１といわゆる兵児帯の組み合わせからなる背負い具を、乳幼児である傷病者等に適用する場合の一実施例を図９に示す。
【００８４】
いわゆる兵児帯は一般に帯幅50cm〜70cm、長さ約4mの和服用の帯であるが、子守用として同様な形状・性状の安価な帯も一般に販売されているものである。
【００８５】
上記実施例１記載の調節具は必ずしも兵児帯に適用するのに最適ではないが、それでもなお適用可能であり、また、材質、形状その他の設計変更により、より好適な調節具を製造しうるものである。
【００８６】
既述のとおり、兵児帯形状の帯は乳幼児の搬出に対しては、帯を乳幼児へ巻きつける際の巻き付け方が異なる。
【実施例６】
【００８７】
実施例３に記載した背負い具３の装着方法を誤った場合を図１０に示す。
【００８８】
背負い帯の左右両端部２a、２bのそれぞれを、調節具１から傷病者等の脚部外側へと連なる背負い帯２の５Ｃから５Ｄの区間で内側から外側にとおして前面に出す（５Ｆ）ことなしに、傷病者等の脚部外側をとおした後に（５Ｅ）、直ちに背負い帯両端部２a、２ｂを搬送者の前面で結んだ場合である。
【００８９】
図１０の装着方法では、傷病者等は脚部外側に圧迫感や痛みを感ずる場合があり、また、実施例３に比較して傷病者等の背負い保持がやや不安定になるものの、背負い搬送は可能である。
【産業上の利用可能性】
【００９０】
本考案にかかる背負い具は、災害時や緊急避難時の背負い搬送に適している。
また、本考案にかかる背負い帯は、ロープ救助又は兵児帯使用の背負い方法を適用すれば、本願調節具と組み合わせることなく単独で、救助用背負い帯として使用可能である。
さらに、本考案にかかる調節具は、いわゆる兵児帯に適した形状・寸法に製造することで、子守帯の調節具にも適用可能であり、また、本考案にかかる背負い具を子守帯として使用することも可能である。
【図面の簡単な説明】
【００９１】
【図１】本考案にかかる調節具の正面図である。（実施例１）
【図２】本考案にかかる背負い具の概略正面図である。帯は部分的に省略して示してある。（実施例２）
【図３】本考案にかかる背負い具の説明図である。帯は部分的に省略して示してある。
【図４】図３の調節具周辺の拡大説明図である。
【図５】本考案にかかる背負い帯の平面図２１及び底面図２２であり、天地を左右に置き換えて示したものである。４３a〜４３eは、それぞれ隣接部分と異なる色分けで着色されていることを示す。（実施例４）
【図６】本考案にかかる背負い具の使用状態を示す概略側面図である。（実施例３）
【図７】本考案にかかる背負い具の使用状態を示す概略斜視図である。（実施例３）
【図８】本考案にかかる背負い具の使用状態を示す概略正面図である。（実施例３）
【図９】本考案にかかる背負い具を乳幼児に適用した場合の使用状態を示す概略側面図である。（実施例５）
【図１０】本考案にかかる背負い具を誤って装着した場合の使用状態を示す概略正面図である。（実施例６）
【符号の説明】
【００９２】
１    調節具
１a    右側柱状体
１b    左側柱状体
１１    調節具上部孔
１２    調節具下部孔
２    背負い帯
２a、２ｂ    背負い帯端部
２c    背負い帯中央部
３    背負い具
４１    光反射体
４２    発光体
４３a〜４３e    着色部
４４    調節具取り付け位置の目安となる着色部
５Ｇ    結び目
【図１】
0003119323.tif 000003
【図２】
0003119323.tif 000004
【図３】
0003119323.tif 000005
【図４】
0003119323.tif 000006
【図５】
0003119323.tif 000007
【図６】
0003119323.tif 000008
【図７】
0003119323.tif 000009
【図８】
0003119323.tif 000010
【図９】
0003119323.tif 000011
【図１０】
0003119323.tif 000012
【手続補正書】
【提出日】平成17年12月29日(2005.12.29)
【手続補正１】
【補正対象書類名】実用新案登録請求の範囲
【補正対象項目名】請求項１１
【補正方法】変更
【補正の内容】
【請求項１１】
使用時に被搬送者の背部に接する構成部材、装着時に連結して使用する構成部材その他の構成部材よりなる背負い搬送具において、使用時に被搬送者の背部に接する構成部材、装着時に連結して使用する構成部材その他の構成部材であって、その背負い搬送具の装着時に視認によってその位置を確認して使用する部位の構成部材に、又は、視認により搬送者にその背負い搬送具の形状の識別が可能となる箇所の構成部材に、発光機能を発揮する発光体を備えた背負い搬送具。
【手続補正２】
【補正対象書類名】実用新案登録請求の範囲
【補正対象項目名】請求項１２
【補正方法】変更
【補正の内容】
【請求項１２】
使用時に被搬送者の背部に接する構成部材その他の構成部材よりなる背負い搬送具において、被搬送者の背部に接する構成部材その他の構成部材であって、使用時に外部から視認可能な部位の構成部材に、光反射機能を発揮する光反射体を備えた背負い搬送具。
【手続補正３】
【補正対象書類名】明細書
【補正対象項目名】０００５
【補正方法】変更
【補正の内容】
【０００５】
暗闇の中でも使用できそうな単純な用具を用いた背負い方法に、救助隊員が行うロープ救助の技術があり、また、いわゆる兵児帯を用いた乳幼児の背負い方法がある。
しかし、病院において、夜間停電を伴う災害時を想定して非常用発電設備も停止させて災害避難訓練を行ったところ、ただ一本のロープや帯（以下、「ロープ等」という。）を使用するこれらの背負い方法を用いたような場合であっても、照明がないことに加えて、暗闇の中で精神的に混乱した状態では、背負う際のロープ等の扱いに戸惑うものであることが判明している。
すなわち、ロープ等を使用した場合には、傷病者等の背中にあてたロープ等を、傷病者等の両脇下から搬送者の肩の上を通して前に出し、このロープ等を搬送者の胸の前で数回交差させるものであるが、暗闇の中では、この「胸の前で数回交差させる」だけの動作であっても、その手順に戸惑い、手間取るものである。
上記問題解決のため応用可能な他の技術分野の要素技術として、例えば下記特許文献５及び７等が見出されるが、背負い搬送具に応用・実施されているものではない。
【特許文献１】特開２０００−１５７５７１号公報
【特許文献２】登録実用新案第３１０８８２１号公報
【特許文献３】登録実用新案第３０８０４６１号公報
【特許文献４】実開昭６３−１６６０６５号公報
【特許文献５】特開平７−１２１１３０号公報
【特許文献６】U.S. Pat. No. ５１０１７６８
【特許文献７】U.S. Pat. No. ５１４５０３６
【手続補正４】
【補正対象書類名】明細書
【補正対象項目名】００４８
【補正方法】変更
【補正の内容】
【００４８】
調節具１は摩擦制動を利用した器具という点で、救助作業、高所作業、登攀等に使用される下降器等の摩擦制動器具に類似する器具であるが、以下の点に特徴の相違がある。
背負い帯２の左右端はそれぞれ２本ある柱状体１a、１bの一本に螺旋状に巻きつかせるもので、一本の柱状体にまき付く背負い帯の一端は、まき付く途中でその巻きつき方向を変えないことが、懸垂下降におけるいわゆるエイト環と相違している。また、背負い帯２の左右端を別々に柱状体１a、１bに巻きつかせる点で、単一のカラビナを使用する懸垂下降法とも相違する。
また、螺旋状に巻きつかせる点が、例えば特許文献７等記載の懸垂下降用制動器と相違している。
【手続補正５】
【補正対象書類名】明細書
【補正対象項目名】００５７
【補正方法】変更
【補正の内容】
【００５７】
発光部４２の形成には蓄光性素材よりなる繊維を用いた布を縫着するのが簡易である。
また、発光機能を発揮する物理的・化学的機構を有する発光部を背負い帯中央に付着することも可能である。例えば、いわゆる安全チョッキ等（例えば、特許文献５参照。）に見られるように、LED、EL等の発光体を電池により発光させるようにすることも可能である。
【手続補正６】
【補正対象書類名】明細書
【補正対象項目名】００５９
【補正方法】変更
【補正の内容】
【００５９】
なお、従来の背負い搬送具においても、傷病者等の背部に接する部材であって、外部から識別可能な部位に発光物を付すことにより、同様の効果を得られる。また、1箇所又は複数箇所の連結部がある場合の連結器具の部位に発光機能を備えることで、暗中での装着が容易になる。さらに、複雑な形状の背負い搬送具においては、形状の識別が可能な要所に発光機能を付加すれば、暗闇の中でも上下左右裏表の区別が可能となる。